【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
所定周波数の搬送波を用いた第１の通信路によって他の情報処理装置と非接触式に通信を行う第１通信部と；
ＩＣチップ内に設けられ、前記第１通信部を用いた通信結果に基づく履歴情報をサービスごとに記憶可能な内部メモリと；
前記第１の通信路とは異なる第２の通信路によって外部装置と通信を行う第２通信部と；
前記第２通信部を介して外部装置から取得される、販売促進施策の内容および販売促進施策を享受するための当選条件の情報が販売促進施策ごとに記録された販売促進施策情報を記憶可能な記憶部と；
前記内部メモリに記憶された履歴情報と、前記記憶部に記憶された前記販売促進施策情報とに基づいて、当選条件に関する判定を行うことが宣言された宣言済販売促進施策に対応する当選条件を満たしているかを判定する当選条件判定部と；
前記内部メモリから前記履歴情報を読み出し、前記当選条件判定部において当選条件を満たしていると判定された場合には、前記販売促進施策情報に含まれる前記宣言済販売促進施策に対応する情報を、前記他の情報処理装置との通信により前記宣言済販売促進施策を享受するための当選施策情報として前記内部メモリに記録する内部メモリ管理部と；
を備える、情報処理装置。
【請求項２】
前記履歴情報と前記当選施策情報とが記憶される前記内部メモリは、耐タンパ性を有する、請求項１に記載の情報処理装置。
【請求項３】
外部装置に対して前記販売促進施策情報の送信を要求する情報要求部をさらに備える、請求項２に記載の情報処理装置。
【請求項４】
前記当選条件判定部は、判定において用いる前記履歴情報に不足している情報がある場合には、前記不足している情報の取得を要求する取得命令を前記情報要求部に伝達し、
前記情報要求部は、前記当選条件判定部から伝達される前記取得命令に基づいて、前記不足している情報に対応する不足履歴情報の送信を外部装置に要求する、請求項３に記載の情報処理装置。
【請求項５】
前記当選条件判定部における判定結果と、前記内部メモリに記憶された履歴情報と、前記記憶部に記憶された前記販売促進施策情報とに基づいて、前記宣言済販売促進施策に関する状態を通知する状態通知部をさらに備える、請求項２に記載の情報処理装置。
【請求項６】
前記記憶部は、前記宣言済販売促進施策に関する状態の通知に用いられる通知設定情報をさらに記憶し、
前記状態通知部は、前記記憶部に記憶された前記通知設定情報に基づいて、前記宣言済販売促進施策に関する状態を通知する、請求項５に記載の情報処理装置。
【請求項７】
表示部をさらに備え、
前記通知設定情報は、前記表示部に表示され視覚的に前記宣言済販売促進施策に関する状態を通知するエージェントに関する情報を含む、請求項６に記載の情報処理装置。
【請求項８】
前記内部メモリに記憶された履歴情報と、前記記憶部に記憶された前記販売促進施策情報と、優先する条件が予め設定された優先情報とに基づいて、前記販売促進施策情報に含まれる販売促進施策ごとに評価値を導出し、導出された評価値に基づいてユーザが販売促進施策を宣言するための指標となる指標情報を通知する施策通知部をさらに備える、請求項２に記載の情報処理装置。
【請求項９】
前記記憶部は、前記指標情報の通知に用いられる通知設定情報をさらに記憶し、
前記施策通知部は、前記記憶部に記憶された前記通知設定情報に基づいて、前記指標情報を通知する、請求項８に記載の情報処理装置。
【請求項１０】
前記情報処理装置は、携帯型通信装置である、請求項２に記載の情報処理装置。
【請求項１１】
所定周波数の搬送波を用いた第１の通信路によって他の情報処理装置と非接触式に通信を行う第１通信部を用いた通信結果に基づく履歴情報をサービスごとに記憶可能なＩＣチップ内に設けられる内部メモリに記憶された履歴情報と、前記第１の通信路とは異なる第２の通信路によって外部装置と通信を行う第２通信部を介して外部装置から取得される販売促進施策の内容および販売促進施策を享受するための当選条件の情報が販売促進施策ごとに記録された販売促進施策情報とに基づいて、当選条件の判定を行うことが宣言された宣言済販売促進施策に対応する当選条件を満たしているかを判定するステップと；
前記判定するステップにおいて当選条件を満たしていると判定された場合には、前記販売促進施策情報に含まれる前記宣言済販売促進施策に対応する情報を、前記他の情報処理装置との通信により前記宣言済販売促進施策を享受するための当選施策情報として前記内部メモリに記録するステップと；
を有する、情報処理方法。
【請求項１２】
所定周波数の搬送波を用いた第１の通信路によって他の情報処理装置と非接触式に通信を行う第１通信部を用いた通信結果に基づく履歴情報をサービスごとに記憶可能なＩＣチップ内に設けられる内部メモリに記憶された履歴情報と、前記第１の通信路とは異なる第２の通信路によって外部装置と通信を行う第２通信部を介して外部装置から取得される販売促進施策の内容および販売促進施策を享受するための当選条件の情報が販売促進施策ごとに記録された販売促進施策情報とに基づいて、当選条件に関する判定を行うことが宣言された宣言済販売促進施策に対応する当選条件を満たしているかを判定するステップ；
前記判定するステップにおいて当選条件を満たしていると判定された場合には、前記販売促進施策情報に含まれる前記宣言済販売促進施策に対応する情報を、前記他の情報処理装置との通信により前記宣言済販売促進施策を享受するための当選施策情報として前記内部メモリに記録するステップ；
をコンピュータに実行させるためのプログラム。
【請求項１３】
情報処理装置と、前記情報処理装置と通信可能な施策管理サーバとを有し、
前記情報処理装置は、
所定周波数の搬送波を用いた第１の通信路によって他の情報処理装置と非接触式に通信を行う第１通信部と；
ＩＣチップ内に設けられ、前記第１通信部を用いた通信結果に基づく履歴情報をサービスごとに記憶可能な内部メモリと；
前記第１の通信路とは異なる第２の通信路によって前記施策管理サーバと通信を行う第２通信部と；
前記第２通信部を介して前記施策管理サーバから取得される、販売促進施策の内容および販売促進施策を享受するための当選条件の情報が販売促進施策ごとに記録された販売促進施策情報を記憶可能な記憶部と；
前記内部メモリに記憶された履歴情報と、前記記憶部に記憶された前記販売促進施策情報とに基づいて、当選条件に関する判定を行うことが宣言された宣言済販売促進施策に対応する当選条件を満たしているかを判定する当選条件判定部と；
前記内部メモリから前記履歴情報を読出し、前記当選条件判定部において当選条件を満たしていると判定された場合には、前記販売促進施策情報に含まれる前記宣言済販売促進施策に対応する情報を、前記他の情報処理装置との通信により前記宣言済販売促進施策を享受するための当選施策情報として前記内部メモリに記録する内部メモリ管理部と；
を備え、
前記施策管理サーバは、
前記第２の通信路によって前記情報処理装置と通信可能なサーバ側通信部と；
前記販売促進施策情報を記憶するサーバ側記憶部と；
前記情報処理装置から送信される販売促進施策情報の取得要求に基づいて、前記販売促進施策情報を前記情報処理装置へ送信する情報送信制御部と；
を備える、情報処理システム。